(57)【特許請求の範囲】
【請求項１】
底壁部と前記底壁部から上側に立ち上がる側壁部とを有し、上端に前記側壁部で囲まれた開口部が設けられた容器本体と、
前記側壁部の上端部に前記開口部に沿って結合された枠部と、
前記枠部にヒンジ部を介して連結され、前記ヒンジ部を支点として回動し前記開口部を開閉可能な蓋部と、
を備え、
前記枠部と前記蓋部とのうちの少なくとも一方は、前記蓋部が閉じられた状態において、前記枠部と前記蓋部とのうちの他方と係合する係合部を有し、
前記係合部は、上下方向と交差する第１方向に押されることで係合状態が解除され、
前記蓋部は、前記蓋部が閉じられた状態において、前記係合部の少なくとも一部の上側を覆う上壁部を有し、
前記係合部は、前記第１方向に沿って一対設けられ、
一対の前記係合部は、それぞれ前記第１方向における他方の前記係合部が位置する側に押されることで係合状態が解除され、
前記蓋部は、前記第１方向に延びた摘み部を有し、
前記摘み部は、前記第１方向に延びた前記上壁部を有していることを特徴とする容器。
【請求項２】
前記上壁部は、前記蓋部が閉じられた状態において、前記係合部の全体の上側を覆う、請求項１に記載の容器。
【請求項３】
前記係合部は、前記枠部に設けられている、請求項１または２に記載の容器。
【請求項４】
前記枠部は、
枠部本体と、
前記枠部本体から上側に突出する支持壁部と、
前記枠部本体から上側に突出する前記係合部と、
を有し、
前記支持壁部は、前記係合部の前記第１方向の一方側に位置し、
前記係合部は、前記第１方向の他方側から前記第１方向の一方側に向かって押されることで弾性変形して係合状態が解除され、係合状態が解除された状態で前記支持壁部と接触する、請求項３に記載の容器。
【発明の詳細な説明】
【技術分野】
【０００１】
本発明は、容器に関する。
【背景技術】
【０００２】
所定量の洗剤組成物が小分けされた洗浄剤が知られている（例えば、特許文献１参照）。このような小分けされた洗浄剤は、所定の容器に所定数ずつ包装されて販売されている。小分けされた洗浄剤においては、洗剤組成物が、例えば、ＰＶＡ（ＰｏｌｙＶｉｎｙｌ  Ａｌｃｏｈｏｌ）フィルム等で被覆され、消費者は洗剤組成物に手指を触れることなく、所定の容器から洗浄剤を取り出すことができる。
【０００３】
上記のような小分けされた洗浄剤を包装する容器としては、例えば、特許文献２に記載されているように、容器ベースと、容器ベースにヒンジ接合された容器蓋とを備え、容器ベースと容器蓋とがヒンジ接合部を支点とした回動先端部で開閉可能に係合する容器を用いることが考えられる。
【先行技術文献】
【特許文献】
【０００４】
【特許文献１】特表２００４−５２５０３８号公報
【特許文献２】特表２００３−５１４７３０号公報
【発明の概要】
【発明が解決しようとする課題】
【０００５】
しかしながら、上記のような容器では、蓋部を操作して開封することが容易であるため、子供が容器を容易に開封でき、洗浄剤の誤食および誤飲が生じる場合がある。したがって、上記のような小分けされた洗浄剤を包装する容器には、チャイルドプルーフ対応の観点から子供が容器を容易に開封できない構造が求められていた。
【０００６】
本発明の一つの態様は、上記問題点に鑑みて成されたものであって、チャイルドプルーフに対応した容易に開封できない構造を有する容器を提供することを目的の一つとする。
【課題を解決するための手段】
【０００７】
本発明の容器の一つの態様は、底壁部と前記底壁部から上側に立ち上がる側壁部とを有し、上端に前記側壁部で囲まれた開口部が設けられた容器本体と、前記側壁部の上端部に前記開口部に沿って結合された枠部と、前記枠部にヒンジ部を介して連結され、前記ヒンジ部を支点として回動し前記開口部を開閉可能な蓋部と、を備え、前記枠部と前記蓋部とのうちの少なくとも一方は、前記蓋部が閉じられた状態において、前記枠部と前記蓋部とのうちの他方と係合する係合部を有し、前記係合部は、上下方向と交差する第１方向に押されることで係合状態が解除され、前記蓋部は、前記蓋部が閉じられた状態において、前記係合部の少なくとも一部の上側を覆う上壁部を有していることを特徴とする。
【０００８】
前記上壁部は、前記蓋部が閉じられた状態において、前記係合部の全体の上側を覆う構成としてもよい。
【０００９】
前記係合部は、前記第１方向に沿って一対設けられ、一対の前記係合部は、それぞれ前記第１方向における他方の前記係合部が位置する側に押されることで係合状態が解除される構成としてもよい。
【００１０】
前記蓋部は、前記第１方向に延びた摘み部を有し、前記摘み部は、前記第１方向に延びた前記上壁部を有している構成としてもよい。
【００１１】
前記係合部は、前記枠部に設けられている構成としてもよい。
【００１２】
前記枠部は、枠部本体と、前記枠部本体から上側に突出する支持壁部と、前記枠部本体から上側に突出する前記係合部と、を有し、前記支持壁部は、前記係合部の前記第１方向の一方側に位置し、前記係合部は、前記第１方向の他方側から前記第１方向の一方側に向かって押されることで弾性変形して係合状態が解除され、係合状態が解除された状態で前記支持壁部と接触する構成としてもよい。
【発明の効果】
【００１３】
本発明の一つの態様によれば、チャイルドプルーフに対応した容易に開封できない構造を有する容器が提供される。
【図面の簡単な説明】
【００１４】
【図１】第１実施形態の容器を示す斜視図である。
【図２】第１実施形態の容器を示す分解斜視図である。
【図３】第１実施形態の容器の部分を示す図であって、図１におけるIII−III断面図である。
【図４】第１実施形態の容器の開封方法を説明するための断面図である。
【図５】第１実施形態の容器の開封方法を説明するための断面図である。
【図６】第１実施形態の他の一例である容器の部分を示す断面図である。
【図７】第２実施形態の容器の部分を示す断面図である。
【図８】第２実施形態の容器の開封方法を説明するための断面図である。
【発明を実施するための形態】
【００１５】
以下、図面を参照しながら、本発明の実施形態に係る容器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１６】
また、図面においては、適宜３次元直交座標系としてＸＹＺ座標系を示す。ＸＹＺ座標系において、Ｚ軸方向は、上下方向とする。Ｙ軸方向は、Ｚ軸方向と直交し、図１に示す容器１０の長手方向と平行な方向とする。Ｘ軸方向は、Ｚ軸方向とＹ軸方向との両方と直交し、図１に示す容器１０の短手方向と平行な方向とする。
【００１７】
なお、以下の説明においては、Ｘ軸方向を前後方向（第２方向）と呼ぶ場合があり、Ｙ軸方向を左右方向（第１方向）と呼ぶ場合がある。また、上下方向においては、正の側（＋Ｚ側）を上側と呼ぶ場合があり、負の側（−Ｚ側）を下側と呼ぶ場合がある。また、前後方向においては、正の側（＋Ｘ側）を前側と呼ぶ場合があり、負の側（−Ｘ側）を後側と呼ぶ場合がある。また、左右方向においては、正の側（＋Ｙ側）を右側と呼ぶ場合があり、負の側（−Ｙ側）を左側と呼ぶ場合がある。なお、上下方向、前後方向、左右方向、上側、下側、前側、後側、右側および左側とは、単に各部位の相対位置関係の説明のために用いられる名称であって、実際の各部位の相対位置関係および使用形態等を限定しない。
【００１８】
＜第１実施形態＞
図１は、本実施形態の容器１０を示す斜視図である。図２は、本実施形態の容器１０を示す分解斜視図である。図３は、本実施形態の容器１０の部分を示す図であって、図１におけるIII−III断面図である。図１および図３は、蓋部５０が閉じられた状態を示している。図２は、蓋部５０が開かれた状態を示している。
【００１９】
なお、以下に説明する各部の相対位置関係は、特に断りのない限り、蓋部５０が閉じられた状態における各部の相対位置関係であるものとする。
【００２０】
図１に示す容器１０は、例えば、内部に小分けされた洗浄剤を複数収容し、包装するための容器である。小分けされた洗浄剤としては、例えば、固形タイプの洗浄剤（粉体を錠剤化し、表面をＰＶＡ等で被覆）、シートタイプの洗浄剤（ペースト化した洗剤をＰＶＡ等で挟む）、および濃縮洗剤をＰＶＡフィルム等で被覆した液状タイプの洗浄剤等が挙げられる。容器１０は、全体として略直方体状である。
【００２１】
容器１０は、容器本体２０と、蓋体３０と、を備えている。容器本体２０は、例えば、ポリスチレン等の合成樹脂材で形成されている。容器本体２０は、内容物が視認可能な透明または半透明であってもよいし、不透明であってもよい。容器本体２０は、収容物の種類によっては紫外線吸収剤を含んでいてもよい。容器本体２０は、例えば、ブロー成形、またはインジェクション成形等によって成形されている。
【００２２】
容器本体２０は、図２に示すように、底壁部２１と、側壁部２２と、を有している。底壁部２１は、上下方向と直交する平面（ＸＹ平面）に沿って拡がっている。底壁部２１の上側から下側に視た（以下、平面視）形状は、例えば、左右方向（Ｙ軸方向）に長い略矩形状である。側壁部２２は、底壁部２１の外縁から上側に立ち上がっている。側壁部２２は、例えば、上側に開口する角筒状である。すなわち、容器本体２０の上端には、側壁部２２で囲まれた開口部２０ａが設けられている。容器本体２０は、底壁部２１および側壁部２２によって囲まれた収容空間２３を有している。収容空間２３には、例えば、小分けされた洗浄剤が複数収容される。
【００２３】
蓋体３０は、例えば、ポリプロピレン等の合成樹脂材で形成されている。本実施形態において蓋体３０は、例えば、インジェクション成形によって一体的に成形されている。蓋体３０は、枠部４０と、ヒンジ部６０と、蓋部５０と、を有している。
【００２４】
枠部４０は、図１および図２に示すように、側壁部２２の上端部に開口部２０ａに沿って全周に亘って結合されている。本実施形態において枠部４０は、容器本体２０に対して着脱可能に取り付けられている。枠部４０は、平面視略矩形の枠状である。枠部４０は、図２に示すように、枠部本体４１と、外側壁部４２と、係合部４３，４４と、２つの支持壁部４５ａ，４５ｂと、を有している。
【００２５】
枠部本体４１は、長辺部４１ａ，４１ｂと短辺部４１ｃ，４１ｄとを有する平面視略矩形の枠状である。長辺部４１ａと長辺部４１ｂとは、左右方向（Ｙ軸方向）に延び、互いに前後方向（Ｘ軸方向）に間隔を空けて対向している。長辺部４１ａは、長辺部４１ｂよりも前側（＋Ｘ側）に位置している。短辺部４１ｃと短辺部４１ｄとは、前後方向に延び、互いに左右方向に間隔を空けて対向している。隣り合う長辺部４１ａ，４１ｂと短辺部４１ｃ，４１ｄとは、円弧状に湾曲する湾曲部を介して接続されている。後側（−Ｘ側）の長辺部４１ｂには、ヒンジ部６０が接続されている。
【００２６】
外側壁部４２は、枠部本体４１の外縁から上側に立ち上がっている。より詳細には、外側壁部４２は、枠部本体４１における、ヒンジ部６０が接続された長辺部４１ｂ以外の部分の外縁から上側に立ち上がっている。
【００２７】
係合部４３，４４は、前側（＋Ｘ側）の長辺部４１ａの上面から上側に突出している。すなわち、係合部４３，４４は、ヒンジ部６０を支点とする回動先端側（＋Ｘ側）の位置に設けられている。係合部４３，４４は、例えば、左右方向（Ｙ軸方向）と直交する平面（ＺＸ平面）に沿って拡がる板状である。係合部４３，４４の左右方向に沿って視た（以下、側面視）形状は、略矩形状である。
【００２８】
係合部４３，４４は、互いに左右方向（Ｙ軸方向）に間隔を空けて配置されている。係合部４３は、長辺部４１ａにおける左右方向の中央よりも左側（−Ｙ側）寄りに位置している。係合部４４は、長辺部４１ａにおける左右方向の中央よりも右側（＋Ｙ側）寄りに位置している。図３に示すように、係合部４３，４４の上部は、蓋部５０が閉じられた状態において、後述する連結板部５４の係合孔部５４ａを介して、後述する摘み部５３の内部に挿入されている。
【００２９】
係合部４３は、基部４３ａと、先端部４３ｂと、を有している。基部４３ａは、上下方向に延びる板状である。先端部４３ｂは、基部４３ａの上端に設けられている。先端部４３ｂは、蓋部５０が閉じられた状態において、後述する摘み部５３の内部に位置している。先端部４３ｂは、基部４３ａよりも左側（−Ｙ側）に突出している。先端部４３ｂの左側の端部は、蓋部５０が閉じられた状態において、後述する連結板部５４の上面の上側に位置している。これにより、係合部４３は、蓋部５０が閉じられた状態において、蓋部５０に係合し、先端部４３ｂによって蓋部５０が上側に移動することを規制している。その結果、蓋部５０がヒンジ部６０を支点として回動することが規制され、蓋部５０が開かれることが規制される。先端部４３ｂの左側の端部は、蓋部５０が閉じられた状態において、連結板部５４の上面と上下方向に隙間を介して対向する、または連結板部５４の上面に上側から接触する。先端部４３ｂが接触あるいは隙間を介して対向する連結板部５４の部分は、係合孔部５４ａの左側の周縁部である。
【００３０】
係合部４４は、基部４４ａと、先端部４４ｂと、を有している。基部４４ａは、上下方向に延びる板状である。先端部４４ｂは、基部４４ａの上端に設けられている。先端部４４ｂは、蓋部５０が閉じられた状態において、後述する摘み部５３の内部に位置している。先端部４４ｂは、基部４４ａよりも右側（＋Ｙ側）に突出している。先端部４４ｂの右側の端部は、蓋部５０が閉じられた状態において、後述する連結板部５４の上面の上側に位置している。これにより、係合部４４は、蓋部５０が閉じられた状態において、蓋部５０に係合し、先端部４４ｂによって蓋部５０が上側に移動することを規制している。その結果、蓋部５０がヒンジ部６０を支点として回動することが規制され、蓋部５０が開かれることが規制される。先端部４４ｂの右側の端部は、蓋部５０が閉じられた状態において、連結板部５４の上面と上下方向に隙間を介して対向する、または連結板部５４の上面に上側から接触する。先端部４４ｂが接触あるいは隙間を介して対向する連結板部５４の部分は、係合孔部５４ａの右側の周縁部である。
【００３１】
２つの支持壁部４５ａ，４５ｂは、長辺部４１ａの上面から上側に突出している。図２に示すように、２つの支持壁部４５ａ，４５ｂは、例えば、左右方向（Ｙ軸方向）と直交する面（ＺＸ平面）に沿って拡がる板状である。２つの支持壁部４５ａ，４５ｂは、係合部４３と係合部４４との左右方向の間に位置し、左右方向に間隔を空けて配置されている。支持壁部４５ａは、係合部４３の右側（＋Ｙ側）に位置している。支持壁部４５ａは、係合部４３と近接して配置されている。支持壁部４５ａの上端は、係合部４３の上端よりも下側に位置している。支持壁部４５ｂは、係合部４４の左側（−Ｙ側）に位置している。支持壁部４５ｂは、係合部４４と近接して配置されている。支持壁部４５ｂの上端は、係合部４４の上端よりも下側に位置している。
【００３２】
ヒンジ部６０は、左右方向（Ｙ軸方向）に延びており、枠部４０と蓋部５０とを接続している。ヒンジ部６０は、後側（−Ｘ側）の長辺部４１ｂの外縁に接続されている。ヒンジ部６０は、枠部４０と蓋部５０とを、ヒンジ部６０を支点として、左右方向に平行な軸周りに回動可能に連結している。ヒンジ部６０は、左右方向に間隔を空けて複数（図２では、例えば３つ）設けられている。
【００３３】
蓋部５０は、枠部４０にヒンジ部６０を介して連結されている。蓋部５０は、ヒンジ部６０を支点として、枠部４０に対して左右方向（Ｙ軸方向）に平行な軸周りに回動する。これにより、蓋部５０は、容器本体２０の開口部２０ａを開閉可能である。蓋部５０は、蓋部本体５１と、縁部５２と、連結板部５４と、摘み部５３と、を有している。
【００３４】
蓋部本体５１は、平板状であり、図１に示すように、上下方向と直交する平面（ＸＹ平面）に沿って拡がっている。蓋部本体５１は、蓋部５０が閉じられた状態において、容器本体２０の開口部２０ａの上側を覆っている。蓋部本体５１の平面視形状は、例えば、左右方向（Ｙ軸方向）に長い略矩形状である。
【００３５】
縁部５２は、蓋部本体５１の外縁に沿って設けられている。より詳細には、縁部５２は、蓋部本体５１の外縁のうち、後側（−Ｘ側）の長辺部の外縁と、左右方向両側の短辺部の外縁と、に沿って設けられている。縁部５２は、蓋部本体５１よりも上側に突出している。図２に示すように、縁部５２は、中空であり、縁部５２の内部は枠部４０側（蓋部５０が閉じられた状態において下側）に開口している。縁部５２の下端は、蓋部５０が閉じられた状態において、枠部本体４１の長辺部４１ｂおよび短辺部４１ｃ，４１ｄの上面と、例えば、接触する。図１に示すように、縁部５２は、蓋部５０が閉じられた状態において、外側壁部４２の内側に位置する。
【００３６】
連結板部５４は、縁部５２のうち左右方向（Ｙ軸方向）の両側に設けられ前後方向（Ｘ軸方向）に延びる短辺部の前端同士を連結する板状の部分である。連結板部５４は、左右方向に延びている。連結板部５４の平面視形状は、例えば、左右方向に長い略矩形状である。連結板部５４は、上下方向において、蓋部本体５１とほぼ同じ位置にある。
【００３７】
連結板部５４には、図２および図３に示すように、連結板部５４を上下方向に貫通する係合孔部５４ａが形成されている。係合孔部５４ａは、連結板部５４の左右方向（Ｙ軸方向）の中央に位置している。係合孔部５４ａの平面視形状は、左右方向に長い矩形状である。
【００３８】
摘み部５３は、図１に示すように、連結板部５４の上面に設けられている。摘み部５３は、連結板部５４の左右方向（Ｙ軸方向）の中央に位置している。摘み部５３は、係合孔部５４ａの上側を覆っている。摘み部５３は、左右方向に延びている。摘み部５３は、全体として中空の略直方体箱状である。摘み部５３は、上壁部５３ａと、後壁部５３ｂと、前壁部５３ｃと、を有している。
【００３９】
上壁部５３ａは、摘み部５３における上側の壁部である。上壁部５３ａは、左右方向（Ｙ軸方向）に延びている。上壁部５３ａは、上下方向において、縁部５２の上端とほぼ同じ位置にある。図３に示すように、上壁部５３ａは、係合孔部５４ａの上側を覆っている。上壁部５３ａの左側（−Ｙ側）の端部は、係合孔部５４ａの左側の内縁よりも左側に位置している。上壁部５３ａの左側の端部は、連結板部５４における係合孔部５４ａの左側の周縁部と上下方向に対向している。
【００４０】
上壁部５３ａの右側（＋Ｙ側）の端部は、係合孔部５４ａの右側の内縁よりも右側に位置している。上壁部５３ａの右側の端部は、連結板部５４における係合孔部５４ａの右側の周縁部と上下方向に対向している。
【００４１】
上壁部５３ａは、蓋部５０が閉じられた状態において、係合部４３，４４の少なくとも一部の上側を覆っている。本実施形態においては、上壁部５３ａは、蓋部５０が閉じられた状態において、係合部４３，４４の全体の上側を覆っている。
【００４２】
後壁部５３ｂは、図１に示すように、摘み部５３における後側（−Ｘ側）の壁部であり、上壁部５３ａの後側の端部から、わずかに後側に傾斜しつつ下側に延びている。後壁部５３ｂの下端は、連結板部５４の上面に接続されている。連結板部５４における後壁部５３ｂの下端が接続される部分は、係合孔部５４ａの後側の周縁部である。
【００４３】
前壁部５３ｃは、摘み部５３における前側（＋Ｘ側）の壁部であり、上壁部５３ａの前側の端部から、わずかに前側に傾斜しつつ下側に延びている。前壁部５３ｃの下端は、連結板部５４の上面と接続されている。連結板部５４における前壁部５３ｃの下端が接続される部分は、係合孔部５４ａの前側の周縁部である。前壁部５３ｃの下端部は、外側壁部４２の後側（−Ｘ側）に、外側壁部４２と近接して配置されている。
【００４４】
摘み部５３の左側（−Ｙ側）には、手指挿入空間ＤＰ１が設けられている。手指挿入空間ＤＰ１は、摘み部５３の左側の端部と縁部５２との左右方向（Ｙ軸方向）の間の空間である。摘み部５３の右側（＋Ｙ側）には、手指挿入空間ＤＰ２が設けられている。手指挿入空間ＤＰ２は、摘み部５３の右側の端部と縁部５２との左右方向（Ｙ軸方向）の間の空間である。
【００４５】
摘み部５３は、図３に示すように、左側開口部ＡＰ１と、右側開口部ＡＰ２と、を有している。左側開口部ＡＰ１は、摘み部５３の左側（−Ｙ側）の端部において、上壁部５３ａと後壁部５３ｂと前壁部５３ｃと連結板部５４とによって囲まれて形成されており、左側に開口している。左側開口部ＡＰ１は、摘み部５３の内部と手指挿入空間ＤＰ１とを連通する。
【００４６】
右側開口部ＡＰ２は、摘み部５３の右側（＋Ｙ側）の端部において、上壁部５３ａと後壁部５３ｂと前壁部５３ｃと連結板部５４とによって囲まれて形成されており、右側に開口している。右側開口部ＡＰ２は、摘み部５３の内部と手指挿入空間ＤＰ２とを連通する。
【００４７】
摘み部５３の左右方向（Ｙ軸方向）の寸法Ｌ１は、例えば、９０ｍｍ以上、１５０ｍｍ以下程度が好ましい。寸法Ｌ１が９０ｍｍよりも小さいと、手が比較的大きな子供が、係合部４３，４４の係合状態を解除しやすい場合があり、１５０ｍｍよりも大きいと、手が比較的大きい大人でも、係合部４３，４４の係合状態を解除しにくい場合があるためである。
【００４８】
寸法Ｌ１は、例えば、子供の手の大きさに基づいて設定されることが好ましい。より具体的には、例えば、寸法Ｌ１は、４歳前後の、比較的手の大きな男児の第１指−第２指尖距離（親指と人差し指との指尖距離）、または第１指−第３指尖距離（親指と中指との指尖距離）よりも大きく設定されることが好ましい。このように設定することで、４歳以下の子供によって容器１０が開封されることを好適に抑制することができ、誤食および誤飲が生じることをより抑制できる。
【００４９】
次に、本実施形態の容器１０の開封方法について説明する。上述したように、蓋部５０が閉じられた状態において、係合部４３，４４は蓋部５０に係合している。これにより、蓋部５０が枠部４０に対して、ヒンジ部６０を支点として回動することが規制されており、蓋部５０が開かれることが規制されている。使用者Ｕは、２つの係合部４３，４４の係合状態を両方とも解除した後、蓋部５０を枠部４０に対してヒンジ部６０を支点として回動させることで、蓋部５０を開いて容器１０を開封することができる。以下、詳細に説明する。なお、使用者Ｕとは、容器１０に収容された洗浄剤等を適正に使用する人であり、例えば、大人等である。
【００５０】
図４および図５は、容器１０の開封方法を説明するための断面図である。まず、使用者Ｕは、図４に示すように、手指挿入空間ＤＰ１を介して第１手指Ｆ１の先端を左側開口部ＡＰ１に挿入し、手指挿入空間ＤＰ２を介して第２手指Ｆ２の先端を右側開口部ＡＰ２に挿入する。そして、第１手指Ｆ１と第２手指Ｆ２とを左右方向（Ｙ軸方向）の互いに近づける向きに移動させて、係合部４３と係合部４４とを押す。これにより、一対の係合部４３，４４は、それぞれ左右方向における他方の係合部が位置する側に押される。
【００５１】
具体的には、係合部４３の先端部４３ｂは、第１手指Ｆ１の先端によって、左右方向における係合部４４が位置する側（右側，＋Ｙ側）に押される。すなわち、係合部４３は、左側（−Ｙ側）から右側に向かって押される。そのため、例えば、係合部４３が、基部４３ａの下端を中心に、前後方向（Ｘ軸方向）と平行な軸周りにおける正面視で時計回りの向きに弾性変形する。これにより、先端部４３ｂが係合孔部５４ａの左側の内縁よりも右側に移動し、係合部４３の蓋部５０との係合状態が解除される。すなわち、係合部４３は、上下方向と交差する左右方向に押されることで係合状態が解除される。係合部４３は、例えば、係合状態が解除された状態で支持壁部４５ａと接触する。
【００５２】
係合部４４の先端部４４ｂは、第２手指Ｆ２の先端によって、左右方向における係合部４３が位置する側（左側，−Ｙ側）に押される。すなわち、係合部４４は、右側（＋Ｙ側）から左側（−Ｙ側）に向かって押される。そのため、例えば、係合部４４が、基部４４ａの下端を中心に、前後方向（Ｘ軸方向）と平行な軸周りにおける正面視で反時計回りの向きに弾性変形する。これにより、先端部４４ｂが係合孔部５４ａの右側の内縁よりも左側に移動し、係合部４４の蓋部５０との係合状態が解除される。すなわち、係合部４４は、上下方向と交差する左右方向に押されることで係合状態が解除される。係合部４４は、例えば、係合状態が解除された状態で支持壁部４５ｂと接触する。
【００５３】
以上のように、本実施形態においては、一対の係合部４３，４４は、それぞれ左右方向における他方の係合部が位置する側に押されることで、係合状態が解除される。
【００５４】
次に、使用者Ｕは、係合部４３，４４の係合状態が解除された状態で、第１手指Ｆ１の腹と第２手指Ｆ２の腹とで摘み部５３の上壁部５３ａを挟んで摘み、摘み部５３を介して、蓋部５０に上側の力を加える。このとき、一対の係合部４３，４４の係合状態が解除されているため、蓋部５０は、枠部４０に対してヒンジ部６０を支点として回動可能な状態となっている。これにより、図５に示すように、蓋部５０を枠部４０に対して上側に持ち上げることができ、蓋部５０を枠部４０に対して回動させることができる。以上のようにして、使用者Ｕは、蓋部５０を開いた状態にでき、容器１０を開封することができる。
【００５５】
なお、使用者Ｕの第１手指Ｆ１および第２手指Ｆ２は、特に限定されない。一例として、第１手指Ｆ１は、親指であり、第２手指Ｆ２は、中指である。
【００５６】
本実施形態によれば、蓋部５０が閉じられた状態において、係合部４３，４４の少なくとも一部の上側を覆う上壁部５３ａが設けられている。そのため、平面視において、係合部４３，４４は、使用者Ｕから視認されにくい。これにより、例えば、子供が係合部４３，４４を認識しにくく、係合部４３，４４が押されて係合部４３，４４の係合状態が解除されることを抑制できる。したがって、蓋部５０が容易に開かれることを抑制できる。その結果、本実施形態によれば、チャイルドプルーフに対応した容易に開封できない構造を有する容器１０が得られる。これにより、子供が容器１０を開封することを抑制でき、容器１０の内容物の誤食および誤飲が生じることを抑制できる。
【００５７】
また、本実施形態によれば、上壁部５３ａは、蓋部５０が閉じられた状態において、係合部４３，４４の全体の上側を覆っている。そのため、子供が係合部４３，４４をより認識しにくく、チャイルドプルーフにより優れた容器１０が得られる。
【００５８】
また、本実施形態によれば、一対の係合部４３，４４が左右方向に沿って設けられ、係合部４３，４４は、それぞれ左右方向における他方の係合部が位置する側に押されることで、係合状態が解除される。そのため、使用者Ｕ（大人等）は、例えば、２本の手指で一対の係合部４３，４４を挟み込むことで、２つの係合部４３，４４を同時に解除することができる。これにより、使用者Ｕは、比較的容易に、一対の係合部４３，４４の係合状態を同時に解除することができる。
【００５９】
一方、例えば、一対の係合部４３，４４同士の間の左右方向の距離を比較的大きくすると、小さい子供の手では、片手の手指で係合部４３，４４を挟み込むことができない。そのため、係合部４３，４４の係合状態を同時に解除しにくい。
【００６０】
以上のように、本実施形態によれば、比較的大きい手を有する大人等は、比較的容易に一対の係合部４３，４４の係合状態を同時に解除できることで、容器１０を比較的容易に開封することができ、比較的小さい手を有する子供は、容器１０を開封することが困難である。そのため、使用者Ｕの利便性を向上させつつ、チャイルドプルーフに優れた容器１０が得られる。
【００６１】
このように、本実施形態の容器１０は、チャイルドプルーフに対応して子供が容易に開封できない構造でありつつ、適正な使用者Ｕ（大人等）にとっては、チャイルドプルーフに対応可能な範囲内で開封しやすい構造であることが好ましい。
【００６２】
加えて、本実施形態では、係合部４３，４４の少なくとも一部の上側は、上壁部５３ａによって覆われている。そのため、使用者Ｕは、係合部４３，４４を挟んで押す際に、第１手指Ｆ１および第２手指Ｆ２を上壁部５３ａの下側に回り込ませる必要がある。具体的には、使用者Ｕは、第１手指Ｆ１の第１関節および第２手指Ｆ２の第１関節を曲げて、左側開口部ＡＰ１と右側開口部ＡＰ２とに挿入させる。これにより、係合部４３，４４の上側が覆われていない場合に比べて、係合部４３，４４を同時に押すために必要な手の手長を大きくすることができる。これにより、手が小さい子供にとっては、より容器１０を開けにくく、よりチャイルドプルーフに優れた容器１０が得られる。
【００６３】
また、例えば、容器１０の左右方向の寸法の制約等によって、係合部４３，４４同士の間の距離を大きくしにくい場合であっても、係合部４３，４４の係合状態を解除するために必要な手の手長を比較的大きくできる。したがって、例えば、小型の容器１０等においても、チャイルドプルーフに対応した容易に開封できない構造を有する容器１０が得られる。
【００６４】
具体的には、係合部４３，４４の係合状態を解除するためには、摘み部５３の左右方向の寸法Ｌ１に加えて、上壁部５３ａから左側開口部ＡＰ１を介して係合部４３に到達するまでの距離と、上壁部５３ａから右側開口部ＡＰ２を介して係合部４４に到達するまでの距離と、が必要になる。そのため、例えば、摘み部５３の左右方向の寸法Ｌ１が比較的小さく、摘み部５３の左右方向の両端に子供の手指が届く大きさである場合であっても、子供は、単に摘み部５３の左右方向の両端に手指が届くことのみでは、係合部４３，４４の係合状態を解除することができない。これにより、子供が容器１０を開封することを抑制できる。
【００６５】
また、例えば、４歳前後の子供にとっては、手指の第１関節を曲げて、摘むような動作は行いにくい。そのため、子供が、上記のように各手指の第１関節を曲げて、係合部４３，４４を同時に解除することは困難である。したがって、よりチャイルドプルーフに優れた容器１０が得られる。
【００６６】
また、本実施形態によれば、係合部４３，４４の少なくとも一部の上側を覆う上壁部５３ａを有する摘み部５３が設けられている。そのため、係合部４３，４４を２本の手指で挟み込んで、係合部４３，４４の係合状態を解除した状態のまま、摘み部５３（上壁部５３ａ）を挟んで把持することができる。これにより、使用者Ｕ（大人等）は、係合部４３，４４の係合状態を解除しつつ、安定して蓋部５０を掴むことができ、蓋部５０を回動させやすい。
【００６７】
また、本実施形態によれば、係合部４３，４４は、枠部４０に設けられている。そのため、使用者Ｕは、係合部４３，４４を左右方向に挟んで摘むのみでは、蓋部５０を掴むことができず、蓋部５０を回動させることができない。これにより、使用者Ｕは、係合部４３，４４を押して係合状態を解除することと、係合部４３，４４の係合状態を解除した状態で蓋部５０を掴むことと、の２つのステップを経なければ、蓋部５０を開けることができない。したがって、蓋部５０が容易に開かれることを抑制でき、チャイルドプルーフに対応した、より容易に開封できない構造を有する容器１０が得られる。
【００６８】
また、本実施形態によれば、係合状態が解除された状態において、係合部４３，４４が接触する支持壁部４５ａ，４５ｂが設けられている。そのため、係合部４３，４４が押されて変形する際に、係合部４３，４４が過剰に変形することを抑制できる。これにより、係合部４３，４４の係合状態が解除される際に、係合部４３，４４が折れる等、破損することを抑制できる。
【００６９】
特に、本実施形態のように、係合部４３，４４の上側が覆われている場合、使用者Ｕは、係合部４３，４４を視認しにくいため、係合部４３，４４の変形度合いを把握しにくい。したがって、係合部４３，４４を過剰に変形させる虞が高い。すなわち、支持壁部４５ａ，４５ｂによって係合部４３，４４の過剰な変形を抑制できる効果は、本実施形態のように係合部４３，４４の上側が覆われているような場合に、特に有用である。
【００７０】
また、本実施形態によれば、係合部４３，４４は、ヒンジ部６０を支点とする回動先端側、すなわちヒンジ部６０と逆側の位置に設けられている。そのため、容器１０の密閉性を向上させることができる。また、例えば、各係合部４３，４４が係合状態のままで、使用者Ｕが蓋部５０の回動先端側の部分（例えば、摘み部５３）を把持して蓋部５０に開ける向きの力を加えた場合、使用者Ｕが加える力の力点から作用点（各係合部４３，４４）までの距離を小さくできる。これにより、各係合部４３，４４が係合状態のまま蓋部５０に開く向きの力が加えられても、各係合部４３，４４に過大な力が加えられることを抑制できる。したがって、各係合部４３，４４の係合状態が無理やり解除されることを抑制でき、よりチャイルドプルーフに優れた容器１０が得られる。
【００７１】
なお、本発明は上述の実施形態に限られず、他の構成を採用することもできる。以下の説明において上記説明と同様の構成については、適宜同一の符号を付す等により説明を省略する場合がある。
【００７２】
本実施形態においては、枠部４０と蓋部５０とのうちの少なくとも一方が、蓋部５０が閉じられた状態において、枠部４０と蓋部５０とのうちの他方と係合する係合部を有する構成を採用できる。すなわち、例えば、上下方向と交差する方向に押されることで係合状態が解除される係合部が、蓋部５０のみに設けられていてもよいし、枠部４０と蓋部５０との両方に設けられていてもよい。
【００７３】
また、係合部４３，４４は、少なくとも１つ以上設けられていればよい。すなわち、係合部４３と係合部４４とのうちの一方が設けられていなくてもよいし、係合部４３，４４に加えて他の係合部が設けられていてもよい。また、係合部が２つ以上設けられる場合、複数の係合部の少なくとも一つにおいて、係合部の少なくとも一部の上側が上壁部５３ａに覆われていればよい。すなわち、例えば、係合部４３，４４のうちのいずれ一方が、上壁部５３ａに覆われていなくてもよい。
【００７４】
また、解除される際に係合部４３，４４が押される方向は、上下方向と交差する方向であれば、特に限定されない。すなわち、解除される際に係合部４３，４４が押される方向は、上下方向と直交していなくてもよい。
【００７５】
また、各係合部４３，４４が設けられる位置は、特に限定されず、枠部４０のいずれの箇所に設けられていてもよい。また、各係合部４３，４４は、枠部４０の他の部分とは、別体として設けられていてもよい。
【００７６】
また、各係合部４３，４４の係合方法は、蓋部５０と枠部４０とを係合して、蓋部５０の回動を規制できるならば、特に限定されない。
【００７７】
また、支持壁部４５ａ，４５ｂの上端は、係合部４３，４４の上端と上下方向において同じ位置にあってもよいし、係合部４３，４４の上端よりも上側に位置していてもよい。また、支持壁部４５ａ，４５ｂは、設けられていなくてもよい。
【００７８】
また、蓋部５０における縁部５２の内側面には、リブが設けられていてもよい。この構成によれば、蓋部５０の剛性を向上させることができ、蓋部５０の変形を抑制できる。これにより、枠部４０に対して蓋部５０を精度よく閉じることが可能となり、蓋部５０を閉じた際の容器１０の密閉性を向上できる。
【００７９】
また、容器１０は、図６に示す容器１１０のような構成であってもよい。図６は、本実施形態の他の一例である容器１１０の部分を示す断面図である。図６に示すように、容器１１０の蓋部１５０において、摘み部１５３の上壁部１５３ａは、蓋部１５０が閉じられた状態において、係合部４３，４４の一部のみの上側を覆っている。図６の例において、係合部４３の先端部４３ｂにおける左側（−Ｙ側）の端部および係合部４４の先端部４４ｂにおける右側（＋Ｙ側）の端部は、平面視において視認可能である。
【００８０】
上壁部１５３ａの左側（−Ｙ側）の端部は、左右方向において、係合孔部５４ａの左側の内縁と、ほぼ同じ位置にある。上壁部１５３ａの右側（＋Ｙ側）の端部は、左右方向において、係合孔部５４ａの右側の内縁と、ほぼ同じ位置にある。
【００８１】
この構成においても、係合部４３，４４の一部の上側が上壁部１５３ａによって覆われていることで、係合部４３，４４が視認されにくく、子供が係合部４３，４４を押して係合状態を解除しにくい。したがって、チャイルドプルーフに対応した容易に開封できない構造を有する容器１１０が得られる。
【００８２】
また、この構成によれば、係合部４３，４４の全体の上側を覆う場合と異なり、上壁部１５３ａの左右方向の両端部の位置を、係合孔部５４ａの両端部の位置と合わせることができる。そのため、金型を用いた一体成型で蓋部１５０を製造する場合、金型の構造を簡単にできる。したがって、蓋部１５０の製造を容易にでき、製造コストを低減できる。
【００８３】
＜第２実施形態＞
第２実施形態は、第１実施形態に対して、係合部が蓋部に設けられている点において異なる。図７は、本実施形態の容器２１０の部分を示す断面図である。図８は、容器２１０の開封方法を説明するための断面図である。
【００８４】
容器２１０において蓋部２５０は、図７に示すように、摘み部２５３と、係合部２５５，２５６と、支持壁部２５７ａ，２５７ｂと、を有している。摘み部２５３は、上壁部２５３ａを有している。上壁部２５３ａの左側（−Ｙ側）の端部は、左右方向において、係合孔部５４ａの左側の内縁と、ほぼ同じ位置にある。上壁部２５３ａの右側（＋Ｙ側）の端部は、左右方向において、係合孔部５４ａの右側の内縁と、ほぼ同じ位置にある。
【００８５】
係合部２５５，２５６は、摘み部２５３の上壁部２５３ａの下面から下側に突出している。係合部２５５，２５６の全体の上側は、上壁部２５３ａによって覆われている。係合部２５５は、上壁部２５３ａにおける左右方向左寄り（−Ｙ側）に設けられており、係合部２５６は、上壁部２５３ａにおける左右方向右寄り（＋Ｙ側）に設けられている。
【００８６】
係合部２５５は、枠部本体２４１の長辺部２４１ａに形成された係合孔部２４１ｅを介して、長辺部２４１ａよりも下側に延びている。係合孔部２４１ｅは、長辺部２４１ａを上下方向に貫通している。係合部２５５は、上壁部２５３ａから下側に延びる基部２５５ａと、基部２５５ａの下端に設けられた先端部２５５ｂと、を有している。
【００８７】
蓋部２５０が閉じられた状態において、先端部２５５ｂは長辺部２４１ａよりも下側に位置している。先端部２５５ｂは、基部２５５ａよりも左側（−Ｙ側）に突出している。先端部２５５ｂの左側の端部は、長辺部２４１ａの下側に位置している。これにより、係合部２５５は、枠部２４０に係合している。先端部２５５ｂの左側の端部は、蓋部２５０が閉じられた状態において、長辺部２４１ａの下面と上下方向に隙間を介して対向する、または長辺部２４１ａの下面に下側から接触する。
【００８８】
係合部２５６は、枠部本体２４１の長辺部２４１ａに形成された係合孔部２４１ｆを介して、長辺部２４１ａよりも下側に延びている。係合孔部２４１ｆは、長辺部２４１ａを上下方向に貫通している。係合部２５６は、上壁部２５３ａから下側に延びる基部２５６ａと、基部２５６ａの下端に設けられた先端部２５６ｂと、を有している。
【００８９】
蓋部２５０が閉じられた状態において、先端部２５６ｂは長辺部２４１ａよりも下側に位置している。先端部２５６ｂは、基部２５６ａよりも右側（＋Ｙ側）に突出している。先端部２５６ｂの右側の端部は、長辺部２４１ａの下側に位置している。これにより、係合部２５６は、枠部２４０に係合している。先端部２５６ｂの右側の端部は、蓋部２５０が閉じられた状態において、長辺部２４１ａの下面と上下方向に隙間を介して対向する、または長辺部２４１ａの下面に下側から接触する。
【００９０】
支持壁部２５７ａ，２５７ｂは、上壁部２５３ａの下面から下側に突出している。支持壁部２５７ａは、係合部２５５の右側（＋Ｙ側）に近接して配置されており、係合孔部２４１ｅを介して、長辺部２４１ａの下側まで延びている。支持壁部２５７ａの下端は、係合部２５５の下端よりも上側に位置している。
【００９１】
支持壁部２５７ｂは、係合部２５６の左側（−Ｙ側）に近接して配置されており、係合孔部２４１ｆを介して、長辺部２４１ａの下側まで延びている。支持壁部２５７ｂの下端は、係合部２５６の下端よりも上側に位置している。
【００９２】
使用者Ｕは、図８に示すように、手指挿入空間ＤＰ１を介して第１手指Ｆ１の先端を左側開口部ＡＰ１に挿入し、手指挿入空間ＤＰ２を介して第２手指Ｆ２の先端を右側開口部ＡＰ２に挿入する。そして、第１手指Ｆ１と第２手指Ｆ２とを左右方向（Ｙ軸方向）の互いに近づける向きに移動させて、係合部２５５を左側（−Ｙ側）から右側（＋Ｙ側）に押し、係合部２５６を右側から左側に押す。
【００９３】
これにより、係合部２５５が上端を支点として弾性変形し、係合部２５５の先端部２５５ｂが係合孔部２４１ｅの左側の内縁よりも右側に移動する。そのため、係合部２５５の枠部２４０との係合状態が解除される。また、係合部２５６が上端を支点として弾性変形し、係合部２５６の先端部２５６ｂが係合孔部２４１ｆの右側の内縁よりも左側に移動する。そのため、係合部２５６の枠部２４０との係合状態が解除される。係合部２５５は、係合状態が解除された状態において、支持壁部２５７ａと接触する。係合部２５６は、係合状態が解除された状態において、支持壁部２５７ｂと接触する。
【００９４】
使用者Ｕは、上記のように係合部２５５と係合部２５６とを左右方向に挟んで摘み、係合部２５５，２５６の係合状態が解除された状態で、蓋部２５０に上側の力を加える。これにより、蓋部２５０を枠部２４０に対して回動させることができる。以上のようにして、使用者Ｕは、蓋部２５０を開いた状態にでき、容器２１０を開封することができる。
【００９５】
本実施形態によれば、第１実施形態と同様に、係合部２５５，２５６の上側が上壁部２５３ａによって覆われているため、係合部２５５，２５６が使用者Ｕに視認されにくい。そのため、チャイルドプルーフに対応した容易に開封できない構造を有する容器２１０が得られる。
【００９６】
また、本実施形態によれば、係合部２５５，２５６が蓋部２５０に設けられているため、係合部２５５，２５６の係合状態を解除するために、係合部２５５，２５６を挟んで摘むことで、蓋部２５０を掴むことができる。これにより、係合部２５５，２５６の係合状態の解除と蓋部２５０の把持とを１ステップで行うことができる。したがって、容器２１０を開封可能な使用者Ｕ（大人等）にとって、容器２１０を開封しやすくでき、利便性を向上できる。
【００９７】
また、本実施形態によれば、係合部２５５，２５６の係合状態を解除する際には、使用者Ｕは、係合部２５５，２５６の上側の部分を押す。係合部２５５，２５６は、使用者Ｕによって左右方向に押されると、上端を支点として弾性変形する。すなわち、係合部２５５，２５６における使用者Ｕに押される部分は、係合部２５５，２５６が弾性変形する際の支点に近い部分である。そのため、係合部２５５，２５６においては、使用者Ｕによって力が加えられる力点と支点との距離が比較的小さく、係合部２５５，２５６を弾性変形させるために比較的大きな力が必要となる。これにより、例えば、力が弱い子供では、係合部２５５，２５６を弾性変形させにくく、係合部２５５，２５６の係合状態を解除しにくい。したがって、よりチャイルドプルーフに優れた容器２１０が得られる。
【００９８】
また、本実施形態によれば、係合部２５５，２５６が上壁部２５３ａに接続されている。そのため、上壁部２５３ａの左右方向の両端部の位置を係合孔部５４ａの両端部の位置と合わせると共に、係合部２５５，２５６の全体の上側を上壁部２５３ａによって覆うことができる。したがって、蓋部２５０の製造を容易にでき、製造コストを低減できると共に、よりチャイルドプルーフに対応した容易に開封できない構造を有する容器２１０が得られる。
【００９９】
なお、上述した第１実施形態および第２実施形態では、蓋部、枠部、およびヒンジ部を一体的に成形する構成を例示したが、この構成の他に蓋部と枠部とを個別に成形したヒンジ構造としてもよい。また、例えば、上壁部を有する摘み部を個別に成形した組み込み構造としてもよい。また、例えば、枠部を容器本体と一体的に成形してもよい。
【０１００】
また、上記の各実施形態で示した容器の用途は、特に限定されない。上記の各実施形態で示した容器は、収容空間２３に小分けした洗浄剤を収容する容器の他に、食品用の容器として用いられてもよい。
【０１０１】
また、第１実施形態および第２実施形態において上述した各構成は、矛盾しない範囲内において、相互に組み合わせることができる。
【符号の説明】
【０１０２】
１０，１１０，２１０…容器、２０…容器本体、２０ａ…開口部、２１…底壁部、２２…側壁部、４０，２４０…枠部、４１，２４１…枠部本体、４３，４４，２５５，２５６…係合部、４５ａ，４５ｂ，２５７ａ，２５７ｂ…支持壁部、５０，１５０，２５０…蓋部、５３，１５３，２５３…摘み部、５３ａ，１５３ａ，２５３ａ…上壁部、６０…ヒンジ部
【図１】
0006655444.tif 000002
【図２】
0006655444.tif 000003
【図３】
0006655444.tif 000004
【図４】
0006655444.tif 000005
【図５】
0006655444.tif 000006
【図６】
0006655444.tif 000007
【図７】
0006655444.tif 000008
【図８】
0006655444.tif 000009